(57)【要約】【課題】歯ブラシと練り歯磨きチューブとＹ型デンタルフロスとを収納し、換気が良好で、使いやすい歯の掃除用器具の携帯用収納ケースを提供する。【解決手段】歯ブラシ２０と練り歯磨きチューブ３０とＹ型デンタルフロス４０を収納する携帯用収納ケース１０であり、下ケース１００  は、左側板を上ケースの天板下面に至る高さに設け、底板の左側位置にＹ型デンタルフロスを嵌着するフロス用嵌着板１１１  を立設し、フロス用嵌着板の左側にＹ型デンタルフロスのフロス部収納部１６０  を設け、フロス部収納部の底板に複数個の通気孔１１２  を設け、フロス用嵌着板の右側にＹ型デンタルフロスの柄と練り歯磨きチューブを収納する練り歯磨きチューブ収納部１７０  を設け、上ケース２００  は、天板のほぼ中央位置に歯ブラシを嵌着する歯ブラシ用嵌着板２１１  を垂設し、天板の右側端部に複数個の通気孔２１２  を設け、通気孔の両端縁部に懸架する歯ブラシの柄を掛ける複数個の掛け環２１３  を設ける。【選択図】図１
2004209175.tif 000002
【特許請求の範囲】
【請求項１】
底板と前側板と後側板と左側板と右側板とからなる角状の下ケースの右端側に、天板と前側板と後側板と右側板とからなる角状の上ケースを回転開閉可能に取り付けた歯ブラシと練り歯磨きチューブとデンタルフロスとを収納する携帯用収納ケースであって、前記下ケースは、左側板を前記上ケースの天板下面に至る高さに設け、底板の中央より左側位置に前記デンタルフロスの柄を嵌着する一対の前後方向で対向するフロス用嵌着板を立設し、該フロス用嵌着板の左側にデンタルフロスのフロス部を収納するフロス部収納部を設け、該フロス部収納部の底板に複数個の通気孔を設け、前記フロス用嵌着板の右側に前記デンタルフロスの柄と前記練り歯磨きチューブとを収納する練り歯磨きチューブ収納部を設け、前記上ケースは、天板のほぼ中央位置に歯ブラシの柄を嵌着する一対の前後方向で対向する歯ブラシ用嵌着板を垂設し、天板の右側端部に複数個の前後方向で左右方向に並列する通気孔を設け、該通気孔のそれぞれの両端縁部に懸架する前記歯ブラシの柄の右側先端部を掛ける複数個の掛け環を垂設したことを特徴とする携帯用収納ケース。
【発明の詳細な説明】
【０００１】
【発明の属する技術分野】
本発明は、歯ブラシと練り歯磨きチューブとデンタルフロスとを収納する携帯用収納ケースに関するものである。
【０００２】
【従来の技術】
従来、歯の掃除用器具の携帯用収納ケースとしては、歯ブラシと練り歯磨きチューブとを収納するケース本体と蓋とからなる携帯用収納ケースが一般的に使用されていた。
【０００３】
【発明が解決しようとする課題】
ところが、最近では、歯と歯の間に溜まった歯垢が、歯ブラシだけではなかなか除去することができないことから、歯間部の歯垢をとるためにデンタルフロス（絹糸）や歯間ブラシなどの歯間部清掃器具が使用されるようになってきた。しかしながら、歯の掃除用器具の携帯用収納ケースとしては、歯ブラシと練り歯磨きチューブとを収納するものが一般的であり、歯ブラシと練り歯磨きチューブとデンタルフロスとを収納する歯の３点掃除用器具の携帯用収納ケースの開発が、強くユーザー側から求められていた。また、従来の携帯用収納ケースは、通気孔が一箇所で換気が不十分なことがあり、また、歯ブラシと練り歯磨きチューブとが一緒に入れられているため、使用するときに、使用しにくいこともあった。
【０００４】
本発明は、上述の従来の歯の掃除用器具の携帯用収納ケースの問題を解決したものであり、歯ブラシと練り歯磨きチューブとデンタルフロスとの３点掃除用器具を収納し、換気が良好で、使用時に使いやすい歯の掃除用器具の携帯用収納ケースを提供するものである。
【０００５】
【課題を解決するための手段】
すなわち、本発明は、底板と前側板と後側板と左側板と右側板とからなる角状の下ケースの右端側に、天板と前側板と後側板と右側板とからなる角状の上ケースを回転開閉可能に取り付けた歯ブラシと練り歯磨きチューブとデンタルフロスとを収納する携帯用収納ケースであって、前記下ケースは、左側板を前記上ケースの天板下面に至る高さに設け、底板の中央より左側位置に前記デンタルフロスの柄を嵌着する一対の前後方向で対向するフロス用嵌着板を立設し、このフロス用嵌着板の左側にデンタルフロスのフロス部を収納するフロス部収納部を設け、このフロス部収納部の底板に複数個の通気孔を設け、前記フロス用嵌着板の右側に前記デンタルフロスの柄と前記練り歯磨きチューブとを収納する練り歯磨きチューブ収納部を設け、前記上ケースは、天板のほぼ中央位置に歯ブラシの柄を嵌着する一対の前後方向で対向する歯ブラシ用嵌着板を垂設し、天板の右側端部に複数個の前後方向で左右方向に並列する通気孔を設け、この通気孔のそれぞれの両端縁部に懸架する前記歯ブラシの柄の右側先端部を掛ける複数個の掛け環を垂設したことを特徴とする携帯用収納ケースである。
【０００６】
【作用】
本発明の携帯用収納ケース（１０）は、図１（ａ）に示すように、下ケース（１００）の底板（１１０）に立設するフロス用嵌着板（１１２，前側板側の１１１は図示せず）の左側にフロス収納部（１６０）が設けられ、右側に練り歯磨きチューブ収納部（１７０）が設けられており、デンタルフロス（４０）の柄（４２）をフロス用嵌着板に嵌着させ、フロス部（４１）をフロス収納部に収納し、柄の部分は練り歯磨きチューブ（３０）と一緒に練り歯磨きチューブ収納部に収納し、上ケース（２００）の天板（２１０）の中央位置に垂設する歯ブラシ用嵌着板（２１２，前側板側の２１１は図示せず）に歯ブラシ（２０）の柄（２２）の中央部分を嵌着させ、ブラシ部（２１）を左側のフロス収納部の上方に、柄の右側先端部を天板の右側端部に垂設する掛け環（２１４）に挿着して、歯ブラシを上ケースに収納することができる。
【０００７】
また、本発明の携帯用収納ケース（１０）は、図１（ａ）に示すように、下ケース（１００）の左側のフロス収納部（１６０）の底板（１１０）に複数個の通気孔（１１３）が設けられ、また、上ケース（２００）の天板（２１０）の右側端部に複数個の通気孔（２１３）が設けられているため、トンネル効果があり、従来の通気孔が一箇所しかない携帯用収納ケースに比較して、ケース内の換気が極めて良好である。
【０００８】
また、本発明の携帯用収納ケースは、下ケースに上ケースが回転開閉可能に取り付けられており、また、下ケースには、練り歯磨きチューブとデンタルフロスが、上ケースには、歯ブラシが整然と着脱可能に収納されているため、使用するときに、ケースが開けやすく、歯ブラシ、練り歯磨きチューブ、デンタルフロスが取り出しやすい。
【０００９】
【発明の実施の形態】
次に、本発明の携帯用収納ケースを一実施形態に基づいて、図を用いて、詳細に説明する。
図１（ａ）は、本発明の一実施形態の携帯用収納ケースの断面図であり、（ｂ）は、その正面図である。図２（ａ）は、図１の下ケースの平面図であり、（ｂ）は、一部を切欠いた正面図であり、（ｃ）は、左側面図であり、（ｄ）は、右側面図である。図３（ａ）は、図１の上ケースの断面図であり、（ｂ）は底面図であり、（ｃ）は、左側面図でり、（ｄ）は、右側面図である。
【００１０】
本実施形態の携帯用収納ケース（１０）は、図１（ａ）又は（ｂ）に示すように、角状の下ケース（１００）の右端側に、角状の上ケース（２００）を上下方向へ回転開閉可能に取り付けた歯ブラシ（２０）と練り歯磨きチューブ（３０）とＹ型デンタルフロス（４０，歯間部掃除器具）とを収納する歯の３点掃除用器具の携帯用収納ケースである。尚、デンタルフロスはＹ型に限定するものではなく、Ｕ型など他の形態であってもよい。そして、下ケースと上ケースは、ポリプロピレンなどの適度の剛性をもつ熱可塑性樹脂を用いて、射出成形法により作製されるものである。なお、下ケースと上ケースとは、使用のしやすさ、商品価値の向上などの目的で色違いにしてもよい。
【００１１】
本実施形態の下ケース（１００）の構造は、図２（ａ）乃至（ｄ）に示すように、底板（１１０）と前側板（１２０）と後側板（１３０）と左側板（１４０）と右側板（１５０）とからなり、左側板（１４０）を上ケースの天板下面に至る高さに設け、底板（１１０）の中央より左側位置にＹ型デンタルフロスの柄を嵌着する一対の前後方向で対向するフロス用嵌着板（１１２，１１１）を立設し、このフロス用嵌着板の左側にＹ型デンタルフロスのフロス部を収納するフロス部収納部（１６０）を設け、このフロス部収納部の底板に、前後方向に３列で左右方向に５列の１５個の円形状の通気孔（１１３）を設け、フロス用嵌着板の右側にＹ型デンタルフロスの柄と練り歯磨きチューブとを収納する練り歯磨きチューブ収納部（１７０）を設けるものである。そして、前側板と後側板と右側板の上端縁部の外側に、連続する上ケースの装着用段差（１０１）を設け、この装着用段差を設けた前側板と後側板の左側端部の上方に係止突起（１２３，１３３）を設け、また、前側板と後側板の右側端部の装着用段差に連続させて上ケースを取り付ける取付用段差（１２４，１３４）を下方へ設け、この取付用段差の所定位置に取付突起（１２１，１３１）を設けるものである。
【００１２】
また、本実施形態の上ケースの構造は、図３（ａ）乃至（ｄ）に示すように、天板（２１０）と前側板（２２０）と後側板（２３０）と右側板（２５０）とからなり、天板（２１０）のほぼ中央位置に歯ブラシの柄を嵌着する一対の前後方向で対向する歯ブラシ用嵌着板（２１１，２１２）を垂設し、天板の右側端部に３個の前後方向で左右方向に並列する通気孔（２１３）を設け、この通気孔のそれぞれの両端縁部に懸架する歯ブラシの柄の右側先端部を掛ける３個の掛け環（２１４）を垂設するものである。そして、前側板と後側板と右側板の下端縁部の内側に、連続する下ケースの装着用段差（２０１）を設け、この装着用段差を設けた前側板と後側板の左側端部の下方に係止凹部（２３３，前側板のものは図示せず）を設け、また、前側板と後側板の右側端部に連続させて下ケースとの取付板（２２１，２３１）を下方へ設け、この取付板の所定位置に取付孔（２３２，前側板のものは図示せず）を設けるものである。
【００１３】
そして、下ケースと上ケースとの取り付けは、図１（ｂ）に示すように、下ケース（１００）の前側板（１２０）と後側板（図示せず）の右側端部の取付突起（１２１，後側板のものは図示せず）に、上ケース（２００）の前側板（２２０）と後側板（図示せず）の右側端部の取付板（２２１，後側板のものは図示せず）の取付孔（２２２，後側板のものは図示せず）を回転可能に装着して取り付け、下ケースの前側板と後側板の装着用段差の左側端部の上方に設けた図２（ａ）に示す係止突起（１２３，１３３）に、上ケースの前側板と後側板の装着用段差の左側端部の下方に設けた図３（ａ）に示す係止凹部（２３３，前側板のものは図示せず）を係合させて着脱可能に係止するものである。
【００１４】
【発明の効果】
本発明の携帯用収納ケースは、下ケースに回転開閉可能に上ケースが取り付けられており、下ケースには、練り歯磨きチューブとＹ型デンタルフロスが、上ケースには、歯ブラシが整然と着脱可能に収納されており、使用するときに、ケースが開けやすく、歯ブラシ、練り歯磨きチューブ、Ｙ型デンタルフロスがそれぞれ取り出しやすく、使用しやすい歯の３点掃除用器具の携帯用収納ケースである。
【００１５】
また、本発明の携帯用収納ケースは、下ケースの左側端部のフロス収納部の底板と上ケースの天板の右側端部の二箇所に複数個の通気孔が設けられているため、ケース内の換気が極めて良好な携帯用収納ケースである。
【図面の簡単な説明】
【図１】（ａ）は、本発明の一実施形態の携帯用収納ケースの断面図であり、（ｂ）は、その正面図である。
【図２】（ａ）は、図１の下ケースの平面図であり、（ｂ）は、一部を切欠いた正面図であり、（ｃ）は、左側面図であり、（ｄ）は、右側面図である。
【図３】（ａ）は、図１の上ケースの断面図であり、（ｂ）は底面図であり、（ｃ）は、左側面図でり、（ｄ）は、右側面図である。
【符号の説明】
１０……携帯用収納ケース
２０……歯ブラシ
２１……ブラシ部
２２，４２……柄
３０……練り歯磨きチューブ
３１……チューブ本体
３２……キャップ
４０……Ｙ型デンタルフロス
４１……フロス部
１００……下ケース
１０１，２０１……装着用段差
１１０……底板
１１１，１１２……フロス用嵌着板
１１３，２１３……通気孔
１２０，２２０……前側板
１２１，１３１……取付突起
１２３，１３３……係止突起
１２４，１３４……取付用段差
１３０，２３０……後側板
１４０……左側板
１５０，２５０……右側板
１６０……フロス収納部
１７０……練り歯磨きチューブ収納部
２００……上ケース
２１０……天板
２１１，２１２……歯ブラシ用嵌着板
２１４……掛け環
２２１，２３１……取付板
２２２，２３２……取付孔
２３３……係止凹部
【図１】
2004209175.tif 000003
【図２】
2004209175.tif 000004
【図３】
2004209175.tif 000005